(57)【要約】【課題】  記憶媒体としてメモリーカードを用いる電子機器において、前記メモリーカードに関する状況を示す表示部を前記メモリーカードに近接して配設可能なメモリーカードの収納構造を提供する。【解決手段】  メモリーカードの収納構造は、メモリーカード２を挿入する開口部（カードスロット）３ａ１を有するケース体（ユニットケース）３ａと、ケース体３ａ内に配設されメモリーカード２を着脱可能に収納する収納部（カードコネクタ）３ｃと、開口部３ａ１を覆うように設けられ開口部３ａ１から移動可能な蓋部６ａと光源（ＬＥＤ）３ｄからの光を出射する出射部６ｂ２を有する表示部６ｂとが一体的に形成されてなるキャップ部材６と、を備えてなる。【選択図】  図４
2006099233.tif 000002
【特許請求の範囲】
【請求項１】
メモリーカードを挿入する開口部を有するケース体と、前記ケース体内に配設され前記メモリーカードを着脱可能に収納する収納部と、前記開口部を覆うように設けられ前記開口部から移動可能な蓋部と光源からの光を出射する出射部を有する表示部とが一体的に形成されてなるキャップ部材と、を備えてなることを特徴とするメモリーカードの収納構造。
【請求項２】
前記キャップ部材は、前記出射部に前記光源からの光を導く導光部を備えてなることを特徴とする請求項１に記載のメモリーカードの収納構造。
【請求項３】
前記キャップ部材は、前記出射部に前記光源からの光を反射する反射部を備えてなることを特徴とする請求項１に記載のメモリーカードの収納構造。
【請求項４】
前記キャップ部材は、前記表示部が前記ケース体に配設固定され、前記蓋部が前記表示部近傍を支点として移動可能に設けられてなることを特徴とする請求項１に記載のメモリーカードの収納構造。
【請求項５】
前記キャップ部材は、透明あるいは半透明の樹脂材料からなることを特徴とする請求項１に記載のメモリーカードの収納構造。
【請求項６】
前記メモリーカードが前記収納部に収納される場合あるいは前記メモリーカードが書き込みまたは読み出しされている場合に前記光源を発光させる制御手段を備えてなることを特徴とする請求項１に記載のメモリーカードの収納構造。
【発明の詳細な説明】
【技術分野】
【０００１】
本発明は、記憶媒体としてメモリーカードを用いる電子機器におけるメモリーカードの収納構造に関するものである。
【背景技術】
【０００２】
近年、データを書き込み及び読み出し可能なフラッシュメモリをカード状のケース体内に備えてなるメモリーカードが記憶媒体として実用化されている。前記メモリーカードを収納可能な構造を備えるデジタルカメラ，ノートパソコンあるいは携帯電話等の携帯型情報端末等の電子機器は、前記メモリーカードに種々の情報を記憶するものである。
【０００３】
また、本願出願人は、特許文献１において、車両状態を検出し、状態表示部によって前記車両状態を表示する計器であって、前記状態表示部を前記車両状態に応じて表示動作させるデータを所定時間記憶する記憶手段を備え、また、前記記憶手段に記憶されたデータに基づき前記状態表示部を表示動作させる再生手段を備える計器の駆動装置を提案している。かかる計器の駆動装置において前記記憶手段として前記メモリーカードを用いる場合、走行中の前記車両状態を容易に外部に持ち出すことができ、データの複製，保存，再生を容易に行うことが可能となる。
【０００４】
また、前記メモリーカードが用いられる電子機器においては、特許文献２に記載されるように、前記メモリーカードが収納されていること、あるいは、前記メモリーカードが書き込みまたは読み出しされている状態であること等の前記メモリーカードに関する状況を示す表示部（ランプ）を備えることが望ましい。
【特許文献１】特開２０００−４６５８８号公報
【特許文献２】特開２０００−１７２５６８号公報
【発明の開示】
【発明が解決しようとする課題】
【０００５】
前述の表示部は、前記メモリーカードに関する状況を利用者に示すことから、前記電子機器に配設されるメモリーカード用コネクタ等の収納部に着脱可能に収納される前記メモリーカードに極力近接して設けられることが望まれる。しかしながら、他の部品とは別体の前記表示部を配設することによって前記電子機器における前記収納部周辺の構造が複雑となり、また、前記電子機器の部品点数が増加して製造コストが上昇するといった問題点があった。
【０００６】
本発明は、前記問題点に鑑み、記憶媒体としてメモリーカードを用いる電子機器において、前記メモリーカードに関する状況を示す表示部を容易に配設することが可能なメモリーカードの収納構造を提供することを目的とする。
【課題を解決するための手段】
【０００７】
本発明のメモリーカードの収納構造は、前記課題を解決するために、メモリーカードを挿入する開口部を有するケース体と、前記ケース体内に配設され前記メモリーカードを着脱可能に収納する収納部と、前記開口部を覆うように設けられ前記開口部から移動可能な蓋部と光源からの光を出射する出射部を有する表示部とが一体的に形成されてなるキャップ部材と、を備えてなることを特徴とする。
【０００８】
また、前記キャップ部材は、前記出射部に前記光源からの光を導く導光部を備えてなることを特徴とする。
【０００９】
また、前記キャップ部材は、前記出射部に前記光源からの光を反射する反射部を備えてなることを特徴とする。
【００１０】
また、前記キャップ部材は、前記表示部が前記ケース体に配設固定され、前記蓋部が前記表示部近傍を支点として移動可能に設けられてなることを特徴とする。
【００１１】
また、前記キャップ部材は、透明あるいは半透明の樹脂材料からなることを特徴とする。
【００１２】
また、前記メモリーカードが前記収納部に収納される場合あるいは前記メモリーカードが書き込みまたは読み出しされている場合に前記光源を発光させる制御手段を備えてなることを特徴とする。
【発明の効果】
【００１３】
本発明は、記憶媒体としてメモリーカードを用いる電子機器におけるメモリーカードの収納構造に関し、前記メモリーカードの状態を示す表示部を容易に配設することが可能となるものである。
【発明を実施するための最良の形態】
【００１４】
以下、本発明を電子機器である計器の駆動装置に適用した実施の形態について説明する。図１は、計器の駆動装置の電気的構成を示しており、図２は、計器の駆動装置の外観を示している。
【００１５】
計器の駆動装置は、入力手段１と、メモリーカード２を収納可能なコントロールユニット３と、スイッチユニット４と、コンビネーションメータ５とから主に構成される。
【００１６】
入力手段１は、車速センサ１ａ，イグニッションコイルからのパルス信号（以下、ＴＡパルスという）を入力するための信号ライン１ｂ，水温センサ１ｃ，油温センサ１ｄ及び過給圧センサ１ｅ等のコンビネーションメータ５にて表示させる車両状態を検出する各種センサ及び信号ラインからなり前記車両状態を示す状態信号をコントロールユニット３に出力する。
【００１７】
メモリーカード２は、データを書き込み及び読み出し可能なフラッシュメモリをケース体内に備えてなる小型の記憶媒体であり、図３に示すように、コントロールユニット３に設けられる後述するカードコネクタ（収納部）に着脱可能に収納される。
【００１８】
コントロールユニット３は、樹脂材料等からなるユニットケース（ケース体）３ａ内に第一の制御手段３ｂを備えるものである。ユニットケース３ａは、図３及び図４に示すように、図中における前面側に、メモリーカード２を挿入するためのカードスロット（開口部）３ａ１が形成され、また、カードスロット３ａ１を覆う蓋部６ａとカードスロット３ａ１近傍に設けられる表示部６ｂとが一体的に形成されてなるキャップ部材６が配設されている。また、ユニットケース３ａ内には、カードスロット３ａ１から挿入されたメモリーカード２を収納するカードコネクタ３ｃと、表示部３ｃ２の光源となり例えば赤色に発光するＬＥＤ３ｄと、第一の制御手段３ｂ，カードコネクタ３ｃ及びＬＥＤ３ｄやその他の電子部品が配設される回路基板３ｅと、が配設されている。
【００１９】
第一の制御手段３ｂは、主としてマイクロコンピュータからなり、入力手段２からの前記状態信号を入力する入力部と、所定の処理動作プログラムを実行するＣＰＵと、前記処理動作プログラム等が記憶されたＲＯＭと、前記ＣＰＵにより処理されたデータ等を一時的に記憶するＲＡＭと、コンビネーションメータ５の表示機能に関する設定値等のデータを不揮発的に記憶するＥＥＰＲＯＭやバックアップＲＡＭ等からなる記憶部と、前記ＣＰＵによって算出される前記データを所定の周期により送信する送信部とから構成されている。第一の制御手段３ｂは、入力手段２から前記各状態信号を入力すると、前記各状態信号に応じて所定の演算処理を行い前記車両状態の各計測値を示す各車両状態データを算出し、前記各車両状態データを第二の制御手段７に送信する。
【００２０】
第一の制御手段３ｂは、前記各車両状態データをメモリーカード２に記憶させる記憶機能を有する。また、第一の制御手段は、前記記憶機能によってメモリーカード２に記憶された前記車両状態データに基づいてコンビネーションメータ５の第一，第二のアナログ表示部５ｂ，５ｃ及びデジタル表示部５ｄとを表示動作させる再生機能を有する。また、第一の制御手段３ｂは、メモリーカード２との接続状態を検出し、カードコネクタ３ｃ内にメモリーカード２が収納されてメモリーカード２と通信可能となった場合はＬＥＤ３ｄを発光駆動させて表示部６ｂを点灯させ、カードコネクタ３ｃからメモリーカード２が取り出されてメモリーカード２と通信されない場合はＬＥＤ３ｄを非発光として表示部６ｂを消灯させる。なお、表示部６ｂは所定時間点灯を維持された後に消灯されるものであってもよい。また、メモリーカード２が書き込みまたは読み出しされている場合にＬＥＤ３ｄを発光駆動させるものであってもよい。
【００２１】
カードコネクタ３ｃは、カードスロット３ａ１から挿入されるメモリーカード２を収納するものであり、例えばメモリーカード２を挿入方向に押して装着し、挿入方向に押して取り出す、いわゆるプッシュイン・プッシュアウト機構を備える。カードコネクタ３ｃの内壁には回路基板３ｅを介して第一の制御手段３ｂと接続される端子部（図示しない）が形成されており、メモリーカード２がカードコネクタ３ｃの適正位置に装着され、メモリーカード２の端子と前記端子部とが接触することによって、メモリーカード２が第一の制御手段３ｂと接続され、通信可能な状態となる。
【００２２】
スイッチユニット４は、図２に示すように、樹脂材料等からなるスイッチケース４ａに複数の押しボタンスイッチ４ｂが配設されてなるものであり、コントロールユニット３におけるコンビネーションメータ５のデジタル表示部５ｄの表示内容の切り換え，前記記憶機能の動作開始あるいは動作終了の確定、前記記憶機能における記憶時間の設定、前記再生機能における動作開始あるいは動作終了の確定等を行うためのものである。
【００２３】
コンビネーションメータ５は、図２に示すように、第二の制御手段５ａ，第一のアナログ表示部５ｂ，第二のアナログ表示部５ｃ，デジタル表示部５ｄ及び第二の発光部５ｅを樹脂材料等からなるメータケース５ｆに備えてなり、車両のダッシュボード上やハンドルコラムカバー上等に設置されるものである。なお、コンビネーションメータ５の表示面側は、透光性の樹脂材料等からなるカバー体（図示しない）によって覆われている。
【００２４】
第二の制御手段５ａは、ＣＰＵ，ＲＯＭ及びＲＡＭから構成されるマイクロコンピュータから主に構成されるものである。第二の制御手段５ａは、第一の制御手段３ｂから送信される前記各車両状態データを受信する受信部を有し、受信した前記各車両状態データに基づき、第一の駆動回路６ｆを介して駆動信号を第一，第二のアナログ表示部５ｂ，５ｃに出力して第一，第二のアナログ表示部５ｂ，５ｃを前記車両状態の計測値を示す表示動作をさせ、また、第二の駆動回路６ｇを介して駆動信号をデジタル表示部５ｄに出力し、デジタル表示部５ｄに前記車両状態の計測値を表示させる。
【００２５】
第一，第二のアナログ表示部５ｂ，５ｃは、図２に示すように、指針５ｂ１，５ｃ１と、アナログ指標部５ｂ２，５ｃ２と、を有するものである。ユーザーは、指針５ｂ１、５ｃ１とアナログ指標部５ｂ２，５ｃ２との対比判読により、前記車両状態の計測値を読み取ることが可能となる。なお、本実施の形態においては第一のアナログ表示部５ｂは、前記車両状態としてエンジンの回転数を０ｒｐｍから１１０００ｒｐｍまでの範囲で表示するものである。また、第二のアナログ表示部５ｃは、前記車両状態としてエンジンの過給圧を−８０ｋＰａから３００ｋＰａまでの範囲で表示するものである。各指針５ｂ１，５ｃ１は、ステッピングモータや交差コイルからなる駆動本体（図示しない）の回転軸を介して回動するものである。各アナログ指標部５ｂ２，５ｃ２は、文字板５ｇ上に印刷形成されるものであり、目盛りや数字等からなり略円弧状に設けられる複数の指標を有する。
【００２６】
デジタル表示部５ｄは、例えば、有機ＥＬディスプレイからなり、図２に示すように、数字表示によって複数の前記車両状態の計測値を表示するものである。なお、図２は前記車両状態として、車両の走行速度，水温及び油温を表示する場合を示している。なお、デジタル表示部５ｄに表示する前記車両状態は、ユーザーのスイッチユニット４の所定操作により切り換え可能となっている。   
【００２７】
キャップ部材６は、エラストマー等の透明あるいは半透明の樹脂材料からなり、図４に示すように、蓋部６ａと、表示部６ｂと、蓋部６ａと表示部６ｂとを繋ぐ連結部６ｃと、が一体的に形成されてなるものである。キャップ部材６はユニットケース３ａの前面側に配設され、表示部６ｂがユニットケース３ａの所定の配設部（図示しない）に配設固定され、蓋部６ａ及び表示部６ｂの後述する出射部がそれぞれユニットケース３ａのカードスロット３ａ１及び孔部３ａ２から露出している。蓋部６ａは、カードコネクタ３ｃに収納されたメモリーカード２を保護するためにユニットケース３ａのカードスロット３ａ１を覆うように設けられるものであり、手で形状を変形させることが可能な程度の柔軟性を有する。また、蓋部６ａは、連結部６ｃの近傍に溝部６ａ１が形成されており、メモリーカード２をカードコネクタ３ｅに収納する際に、ユーザーが蓋部６ａを溝部６ａ１の底面部６ａ２を支点としてカードスロット３ａ１から図中における前方方向に移動させてカードスロット３ａ１を開放することが可能となっている（図３参照）。なお、溝部６ａ１を形成せず、連結部６ｃを支点として蓋部６ａが移動する構成であってもよい。表示部６ｂは、平板部６ｂ１と、平板部６ｂ１の図中における前面から突出するように形成される円柱形状の出射部６ｂ２と、平板部６ｂ１の図中における後面から後方に突出するように形成され表示部６ｂと対向する柱形状の導光部６ｂ３と、からなり、連結部６ｃを介して蓋部６ａと一体的に繋がっている。導光部６ｂ３は図中における後方端部にＬＥＤ３ｄと対向する傾斜面６ｂ４を有する。
【００２８】
ＬＥＤ３ｄから発せられた光Ｌは、図５に示すように、導光部６ｂ３に入射し、傾斜面６ｂ４によって出射部６ｂ２に向かって反射されると共に導光部６ｂ３内を通って平板部６ｂ１及び出射部６ｂ２に導かれ、出射部６ｂ２から外部に出射されて表示部６ｂが点灯状態となる。なお、本実施の形態の他の例として、図６に示すように、平板部６ｂ１に出射部６ｂ２と対向する反射部６ｂ５を形成するものであってもよい。反射部６ｂ５はＬＥＤ３ｄと対向する傾斜面６ｂ６を有し、ＬＥＤ３ｄから発せられた光Ｌを出射部６ｂ２に向けて反射させるものである。反射された光は平板部６ｂ１に入射し、出射部６ｂ２から外部に出射されて表示部６ｂが点灯状態となる。
【００２９】
以上の各部により、計器の駆動装置が構成されている。
【００３０】
かかるメモリーカード２の収納構造は、メモリーカード２を挿入するカードスロット３ａ１を有するユニットケース３ａと、ユニットケース３ａ内に配設されメモリーカード２を着脱可能に収納するカードコネクタ３ｃと、カードスロット３ａ１を覆うように設けられカードスロット３ａ１から移動可能な蓋部６ａとＬＥＤ３ｄからの光Ｌを出射する出射部６ｂ２を有する表示部６ｂとが一体的に形成されてなるキャップ部材６と、を備えてなるものである。また、キャップ部材６は、出射部６ｂ２にＬＥＤ３ｄからの光を導く導光部６ｂ３あるいは出射部６ｂ２にＬＥＤ３ｄからの光Ｌを反射する反射部６ｂ５を備えてなるものである。また、表示部６ｂがユニットケース３ａに配設固定され、蓋部６ａが表示部６ｂ近傍の底面部６ａ２を支点として移動可能に設けられるものである。以上の構成により、メモリーカード２がカードコネクタ３ｃに収納され第一の制御手段３ａと通信可能となったことを報知する表示部６ｂを、メモリーカード２が挿入されるカードスロット３ａ１を覆う蓋部６ａとキャップ部材６として一体的に形成することによって、ユニットケース３ａにおいて、表示部６ｂと蓋部６ａの一端側とを１つの前記配設部で配設固定することができ、ユニットケース３ａに表示部６ｂを配設固定するための専用の配設部を設ける必要がないことからカードコネクタ３ｃ周辺の構造を複雑とすることなく容易に表示部６ｂを配設することが可能となる。また、表示部６ｂと蓋部６ａとをキャップ部材６として一体的に形成することによって、部品点数を低減することができ、計器の駆動装置の製造コストを低減することが可能となる。
【００３１】
また、表示部を単独の部品として配設する場合と比較して、カードコネクタ３ｃに収納されるメモリーカード２により近接した個所に設けることが可能となる。したがって、ユーザーはメモリーカード２により近接した位置でメモリーカード２に関する状況を認識することができ、メモリーカード２を用いる電子機器としての商品性を向上させることが可能となる。
【００３２】
また、本実施の形態においては、第一の制御手段３ｂは、メモリーカード２との接続状態を検出してメモリーカード２と通信可能である場合にＬＥＤ３ｄを発光駆動させて表示部６ｂを点灯させるものであったが、本発明の請求項１から請求項５においては、例えば、メモリーカード２における前記車両状態データの記憶可能時間を算出し、この記憶可能時間が所定の設定時間（例えば、１０分間）以下となった場合に、第一の制御手段３ｂによって、表示部６ｂを点灯あるいは点滅させるものであってもよい。また、メモリーカード２の残容量を検出して、前記残容量が所定の値以下となった場合に表示部６ｂを点灯あるいは点滅させるものであってもよい。
【図面の簡単な説明】
【００３３】
【図１】本発明の実施の形態の計器の駆動装置の電気的構成を示すブロック図。
【図２】同上計器の駆動装置の外観を示す図。
【図３】同上のメモリーカードの収納構造を示す図。
【図４】同上のメモリーカードの収納構造を示す図。
【図５】同上のキャップ部材を示す図。
【図６】同上のキャップ部材の他の例を示す図。
【符号の説明】
【００３４】
１      入力手段
２      メモリーカード
３      コントロールユニット
３ａ    ユニットケース（ケース体）
３ａ１  カードスロット（開口部）
３ｂ    第一の制御手段
３ｃ    カードコネクタ（収納部）
３ｄ    ＬＥＤ（光源）
４      スイッチユニット
５      コンビネーションメータ
６      キャップ部材
６ａ    蓋部
６ａ１  溝部
６ａ２  底面部
６ｂ    表示部
６ｂ１  平板部
６ｂ２  出射部
６ｂ３  導光部
６ｂ４  傾斜面
６ｂ５  反射部
６ｂ６  傾斜面
６ｃ    連結部
【図１】
2006099233.tif 000003
【図２】
2006099233.tif 000004
【図３】
2006099233.tif 000005
【図４】
2006099233.tif 000006
【図５】
2006099233.tif 000007
【図６】
2006099233.tif 000008